(57)【要約】      （修正有）【課題】無線ＵＳＢホストと無線ＵＳＢデバイスとの間にセッションを生成して管理する方法等を提供する。【解決手段】無線ＵＳＢホストと無線ＵＳＢデバイスとの間に無線ネットワークを通じて生成されたセッションを管理するためのセッション管理方法であって、周期的に伝送されるメッセージであって、生成されたセッションの状態を点検するためのセッション状態メッセージを受信し、受信されていないセッション状態メッセージの数に対応する連続的な未受信回数が第１基準回数に到達した場合、生成された現在セッションの状態が連結状態であれば、現在セッション状態を連結状態から猶予状態に変更し、連続的な未受信回数が第２基準回数に到達した場合、生成された現在セッションの状態が猶予状態であれば、生成されたセッションを終了することを特徴とする。これにより、ＵＳＢデバイスのバッテリー消耗を減少させ、セッションの一時的な中断を防止しうる。【選択図】図８
2011238238.tif 000002
【特許請求の範囲】
【請求項１】
無線ＵＳＢホストと無線ＵＳＢデバイスとの間に無線ネットワークを通じて生成されたセッションを管理するためのセッション管理方法であって、
前記無線ＵＳＢホストが、周期的に伝送されるメッセージであって、前記生成されたセッションの状態を点検するためのセッション状態メッセージを受信するステップと、
前記無線ＵＳＢホストが、前記生成された現在セッションの状態が、セッションが活性中である第１の状態のときに、受信されていない前記セッション状態メッセージの数に対応する連続的な未受信回数が第１基準回数に到達した場合、前記現在セッション状態を前記第１の状態から第２の状態に変更するステップと、
前記無線ＵＳＢホストが、前記連続的な未受信回数が第２基準回数に到達した場合、前記生成された現在セッションの状態が前記第２の状態であれば、前記生成されたセッションを終了するステップと、
前記無線ＵＳＢホストが、前記セッション状態メッセージを受信した場合、前記現在セッション状態が前記第２の状態であれば、前記セッション状態を前記第１の状態に再変更するステップと、を含み、
前記生成されたセッションを終了する段階において、前記生成されたセッションが一応終了されれば、前記セッション状態メッセージが受信されても前記セッション状態を前記第１状態に直ちに再変更できず、前記セッション状態を前記第１状態に変更するためには再び再連結過程を行うべきであることを特徴とするセッション管理方法。
【請求項２】
前記セッション管理方法は、
前記無線ＵＳＢホストが、セッションの終了を知らせるセッション終了メッセージが受信されれば、前記生成されたセッションを終了するステップをさらに含むことを特徴とする請求項１に記載のセッション管理方法。
【請求項３】
前記セッション管理方法は、
前記無線ＵＳＢホストが、前記生成されたセッションを終了する場合、前記生成されたセッションに関するセッション情報を削除するステップをさらに含むことを特徴とする請求項１に記載のセッション管理方法。
【請求項４】
前記セッション情報は、
前記無線ＵＳＢデバイスのセッションＩＤ、ＩＰアドレス、前記セッションの現在状態を含むことを特徴とする請求項３に記載のセッション管理方法。
【請求項５】
前記セッション管理方法は、
前記無線ＵＳＢホストが、前記生成されたセッションを終了する場合、前記セッションの終了を知らせるセッション終了メッセージを伝送するステップをさらに含むことを特徴とする請求項１に記載のセッション管理方法。
【請求項６】
前記無線ネットワークは、
移動アドホックネットワークであることを特徴とする請求項１に記載のセッション管理方法。
【請求項７】
前記ＵＳＢデバイスは、前記セッション状態メッセージを受信し、前記現在状態を変更し、前記生成されたセッションを終了させることを特徴とする請求項１に記載のセッション管理方法。
【請求項８】
前記ＵＳＢホストは、前記セッション状態メッセージを受信し、前記現在状態を変更し、前記生成されたセッションを終了させることを特徴とする請求項１に記載のセッション管理方法。
【請求項９】
前記第１基準回数と前記第２基準回数とは、同じ値であることを特徴とする請求項１に記載のセッション管理方法。
【請求項１０】
請求項１ないし９のうち何れか一項に記載の方法を実行するためのプログラムが記録されたコンピュータで読み取り可能な記録媒体。
【請求項１１】
無線ＵＳＢデバイスと無線ネットワークとを通じて生成されたセッションを管理するための無線ＵＳＢホストであって、
前記生成されたセッションの状態を点検するためのセッション状態メッセージを生成するメッセージ生成部と、
前記生成されたセッション状態メッセージを周期的に前記無線ＵＳＢデバイスに伝送し、前記無線ＵＳＢデバイスからのセッション状態メッセージを受信する無線送受信部と、
前記無線ＵＳＢデバイスから受信されていない前記セッション状態メッセージの数に対応する連続的な未受信回数を計数するカウンターと、
前記生成された現在セッションの状態が、セッションが活性中である第１の状態のときに、前記連続的な未受信回数が第１基準回数に到達した場合、前記生成されたセッションの現在状態を前記第１の状態から第２の状態に変更し、前記連続的な未受信回数が第２基準回数に到達した場合、前記現在状態が前記第２の状態であれば、前記生成されたセッションを終了し、前記セッション状態メッセージを受信した場合、前記生成されたセッションの現在状態が前記第２の状態であれば、前記生成されたセッションの現在状態を前記第１の状態に再変更するセッション生成管理部と、を備え、
前記生成されたセッションが一応終了されれば、前記セッション状態メッセージが受信されても前記セッション状態を前記第１状態に直ちに再変更できず、前記セッション状態を前記第１状態に変更するためには再び再連結過程を行うべきであることを特徴とする無線ＵＳＢホスト。
【請求項１２】
前記生成されたセッションの状態を含むセッション情報を保存するセッション情報保存部をさらに備えることを特徴とする請求項１１に記載の無線ＵＳＢホスト。
【請求項１３】
前記セッション生成管理部は、
セッションの終了を知らせるセッション終了メッセージが受信されれば、前記生成されたセッションを終了することを特徴とする請求項１１に記載の無線ＵＳＢホスト。
【請求項１４】
前記セッション生成管理部は、
前記生成されたセッションを終了する場合、前記終了されたセッションに関するセッション情報を削除することを特徴とする請求項１２に記載の無線ＵＳＢホスト。
【請求項１５】
前記セッション情報は、
前記無線ＵＳＢデバイスのセッションＩＤ、ＩＰアドレス、前記生成されたセッションの現在状態を含むことを特徴とする請求項１２に記載の無線ＵＳＢホスト。
【請求項１６】
前記セッション生成管理部は、
前記生成されたセッションを終了する場合、前記セッションの終了を知らせるセッション終了メッセージを伝送することを特徴とする請求項１１に記載の無線ＵＳＢホスト。
【請求項１７】
前記無線ネットワークは、
移動アドホックネットワークであることを特徴とする請求項１１に記載の無線ＵＳＢホスト。
【請求項１８】
前記第１基準回数と前記第２基準回数とは、同じ値であることを特徴とする請求項１１に記載の無線ＵＳＢホスト。
【請求項１９】
無線ネットワークを通じて無線ＵＳＢホストと無線ＵＳＢデバイスとの間に生成されたセッションを管理するための無線ＵＳＢデバイスにおいて、
前記無線ＵＳＢホストから周期的に伝送された前記生成されたセッションの状態を暗示するセッション状態メッセージを受信する無線送受信部と、
前記無線ＵＳＢホストから未受信されたセッション状態メッセージの数に対応する連続的な未受信回数を計数するカウンターと、
前記生成された現在セッションの状態が、セッションが活性中である第１の状態のときに、前記連続的な未受信回数が第１基準回数に到達した場合、前記現在状態を前記第１の状態から第２の状態に変更し、前記連続的な未受信回数が第２基準回数に到達した場合、生成された前記現在状態が前記第２の状態であれば、前記生成されたセッションを終了し、前記セッション状態メッセージを受信した場合、前記生成されたセッションの現在状態が前記第２の状態であれば、前記生成されたセッションの現在状態を前記第１の状態に再変更するセッション生成管理部と、を備え、
前記生成されたセッションが一応終了されれば、前記セッション状態メッセージが受信されても前記セッション状態を前記第１状態に直ちに再変更できず、前記セッション状態を前記第１状態に変更するためには再び再連結過程を行うべきであることを特徴とする無線ＵＳＢデバイス。
【請求項２０】
無線ネットワークを通じて無線ＵＳＢホストと無線ＵＳＢデバイスとの間に生成されたセッションを管理するための無線ＵＳＢホストにおいて、
前記無線ＵＳＢデバイスから周期的に伝送された前記生成されたセッションの状態を暗示するセッション状態メッセージを受信する無線送受信部と、
前記無線ＵＳＢデバイスから未受信されたセッション状態メッセージの数に対応する連続的な未受信回数を計数するカウンターと、
前記生成された現在セッションの状態が、セッションが活性中である第１の状態のときに、前記連続的な未受信回数が第１基準回数に到達した場合、前記現在状態を前記第１の状態から第２の状態に変更し、前記連続的な未受信回数が第２基準回数に到達した場合、前記現在状態が前記第２の状態であれば、前記生成されたセッションを終了し、前記セッション状態メッセージを受信した場合、前記生成されたセッションの現在状態が前記第２の状態であれば、前記生成されたセッションの現在状態を前記第１の状態に再変更するセッション生成管理部と、を備え、
前記生成されたセッションが一応終了されれば、前記セッション状態メッセージが受信されても前記セッション状態を前記第１状態に直ちに再変更できず、前記セッション状態を前記第１状態に変更するためには再び再連結過程を行うべきであることを特徴とする無線ＵＳＢデバイス。
【発明の詳細な説明】
【技術分野】
【０００１】
本発明は、無線ＵＳＢホストと無線ＵＳＢデバイスとの間にセッションを生成して管理する方法、無線ＵＳＢホスト及び無線ＵＳＢデバイスに関する。
【背景技術】
【０００２】
一般的に、無線ＵＳＢ技術は、認証された無線ＵＳＢ（Ｃｅｒｔｉｆｉｅｄ  Ｗｉｒｅｌｅｓｓ  ＵＳＢ：ＣＷＵＳＢ）と呼ばれ、無線ＵＳＢホストと無線ＵＳＢデバイスとを連結するための動作として、認証を含む連結過程、再連結過程、連結終了過程及び電源管理のためのＳｌｅｅｐ／Ｗａｋｅｕｐ過程がある。
【０００３】
第一に、このようなＣＷＵＳＢは、ＵＷＢＰＨＹ（Ｕｌｔｒａ−Ｗｉｄｅ  Ｂａｎｄ  Ｐｈｙｓｉｃａｌ  Ｌａｙｅｒ）を使用し、時分割多重接続（Ｔｉｍｅ  Ｄｉｖｉｓｉｏｎ  Ｍｕｌｔｉｐｌｅ  Ａｃｃｅｓｓ：ＴＤＭＡ）基盤にするため、無線ＵＳＢホストによるタイムスケジューリングが必要であり、無線ＵＳＢデバイスは、割当てられた時間スロットでのみ無線ＵＳＢホストにデータを伝送しうる。ＵＳＢ技術を採用した多くのモバイル機器は、多様な有／無線ネットワーキング技術を採択している実情であるので、一つの無線技術に依存的な点は、ＣＷＵＳＢの適用可能性を縮少させる。
【０００４】
第二に、ＣＷＵＳＢのセッション管理方法のうち、セッション連結過程は、無線ＵＳＢデバイスによってのみ開始される。この場合、実際ユーザが取れる使用シナリオやＣＷＵＳＢを適用できるデバイスの条件に制限が生じる。例えば、一つの無線ＵＳＢデバイスが複数の観念的通信路を有しており、このうち一つの観念的通信路を選択せねばならないならば、無線ＵＳＢデバイスは、観念的通信路をディスプレイし、これらを検索できるナビゲーションボタンを必要とする。しかし、無線ＵＳＢを採択した全てのデバイスが前記のようなナビゲーションボタンを備えているのではない。したがって、このような場合には、無線ＵＳＢデバイスの役割は最小化し、ほとんどの役割は、無線ＵＳＢホストの中心で行う必要がある。
【０００５】
第三に、無線ＵＳＢデバイスがセッション連結を要請した以後に無線ＵＳＢホストの応答がなければ、無線ＵＳＢデバイスは、連結要請を再伝送する。無線ＵＳＢホストから電源を供給された有線方式のＵＳＢとは異なり、ＣＷＵＳＢを使用する無線ＵＳＢデバイスを自体的にバッテリーを有さねばならない。したがって、連結要請を再伝送する過程は、無線ＵＳＢデバイスのバッテリー消耗を増加させる。
【０００６】
第四に、無線ネットワークの特性上一時的な断絶現象が発生し、このような場合ごとに再連結過程を行わねばならない点は、無線ＵＳＢデバイスには負担となる。さらに、再連結過程ごとに運用体制で無線ＵＳＢデバイスを認識するための過程が新たに行われねばならないので、ユーザに不便を招く。
【発明の概要】
【発明が解決しようとする課題】
【０００７】
本発明は、前記問題点を解決するために創出されたものであって、無線ＵＳＢホストを中心としてセッションを生成及び管理することにより、無線ＵＳＢデバイスのバッテリー消耗を減少させ、頻繁な連結断絶によるユーザの不便を解決するための無線ＵＳＢホストと無線ＵＳＢデバイスとの間にセッションを生成して管理する方法、無線ＵＳＢホスト及び無線ＵＳＢデバイスを提供することを目的とする。
【課題を解決するための手段】
【０００８】
前記目的を達成するために本発明による無線ＵＳＢホストと無線ＵＳＢデバイスとの間にセッションを管理する方法は、無線ＵＳＢホストと無線ＵＳＢデバイスとの間に無線ネットワークを通じて生成されたセッションを管理するためのセッション管理方法であって、周期的に伝送されるメッセージであって、前記生成されたセッションの状態を点検するためのセッション状態メッセージを受信するステップと、受信されていない前記セッション状態メッセージの数に対応する連続的な未受信回数が第１基準回数に到達した場合、前記生成された現在セッションの状態が連結状態であれば、前記現在セッション状態を連結状態から猶予状態に変更するステップと、前記連続的な未受信回数が第２基準回数に到達した場合、前記生成された現在セッションの状態が猶予状態であれば、前記生成されたセッションを終了するステップと、を含むことを特徴とする。
【０００９】
本発明の他の実施形態によれば、前記方法を実行するためのプログラムが記録されたコンピュータで読み取り可能な記録媒体が提供される。
【００１０】
本発明の他の実施形態によれば、無線ＵＳＢホストが提供されるが、前記無線ＵＳＢホストは、無線ＵＳＢデバイスと無線ネットワークとを通じて生成されたセッションを管理するための無線ＵＳＢホストであって、前記生成されたセッションの状態を点検するためのセッション状態メッセージを生成するメッセージ生成部と、前記生成されたセッション状態メッセージを周期的に前記無線ＵＳＢデバイスに伝送し、前記無線ＵＳＢデバイスからのセッション状態メッセージを受信する無線送受信部と、前記無線ＵＳＢデバイスから受信されていない前記セッション状態メッセージの数に対応する連続的な未受信回数を計数するカウンターと、前記連続的な未受信回数が第１基準回数に到達した場合、前記生成されたセッションの現在状態が連結状態であれば、前記生成された細線の現在状態を連結状態から猶予状態に変更し、前記連続的な未受信回数が第２基準回数に到達した場合、前記現在状態が猶予状態であれば、前記生成されたセッションを終了するセッション生成管理部と、を備えることを特徴とする。
【００１１】
本発明の他の実施形態によれば、セッション生成方法が提供されるが、前記方法は、それぞれ固有の無線ＩＰアドレスを有する無線ＵＳＢホストと無線ＵＳＢデバイスとの間の無線ネットワークを通じたセッション生成方法であって、無線ＵＳＢデバイスのＩＰアドレスを含む属性情報を獲得するステップと、前記セッションの生成を要請するセッション生成要請メッセージを前記無線ＵＳＢホストから前記無線ＵＳＢデバイスに伝送するステップと、前記セッション生成要請メッセージに応答して、セッション生成応答メッセージを前記無線ＵＳＢデバイスから受信するステップと、前記セッション生成応答メッセージに応答して、セッションＩＤを前記無線ＵＳＢデバイスに割当てるステップと、前記無線ＵＳＢホストが前記割当てられたセッションＩＤを含むセッション生成確認メッセージを前記無線ＵＳＢホストから前記無線ＵＳＢデバイスに伝送するステップと、前記セッションＩＤ、前記無線ＵＳＢデバイスのＩＰアドレス及び前記無線ＵＳＢホストのＩＰアドレスを利用して、前記無線ＵＳＢホストと前記無線ＵＳＢデバイスとの間にセッションを生成するステップと、を含むことを特徴とする。
【００１２】
本発明の他の実施形態によれば、前記方法を実行するためのプログラムが記録されたコンピュータで読み取り可能な記録媒体が提供される。
【００１３】
本発明の他の実施形態によれば、無線ＵＳＢデバイスが提供されるが、前記無線ＵＳＢデバイスは、固有のＩＰアドレスを有する無線ＵＳＢホストと無線ネットワークとを通じてセッションを生成するための無線ＵＳＢデバイスであって、前記無線ＵＳＢホストからのセッション生成要請メッセージに応答するセッション生成応答メッセージを生成するメッセージ生成部と、前記無線ネットワークを通じて前記セッション生成要請メッセージ及び前記無線ＵＳＢデバイスに割当てられたセッションＩＤを含むセッション生成確認メッセージを受信する一方、前記生成されたセッション生成応答メッセージ及び前記無線ＵＳＢホストの検索要請に応答して、前記無線ＵＳＢデバイスのＩＰアドレスを含む属性情報を伝送する無線送受信部と、前記受信されたセッションＩＤ及び前記無線ＵＳＢホストのＩＰアドレスを利用して、前記無線ＵＳＢホスト及びセッションを生成するセッション生成部と、を備えることを特徴とする。
【００１４】
本発明の他の実施形態によれば、無線ＵＳＢホストが提供されるが、前記無線ＵＳＢホストは、固有のＩＰアドレスを有する無線ＵＳＢデバイスと無線ネットワークとを通じてセッションを生成するための無線ＵＳＢホストであって、前記無線ネットワークに接続された無線ＵＳＢデバイスを検索し、前記検索された無線ＵＳＢデバイスのＩＰアドレスを含む属性情報を獲得する検索部と、前記無線ＵＳＢホストのＩＰアドレスを含む属性情報に関するメッセージであって、セッション生成を要請するセッション生成要請メッセージ及び前記無線ＵＳＢデバイスに割当てられたセッションＩＤを含むセッション生成確認メッセージを生成するメッセージ生成部と、前記無線ネットワークを通じて前記生成されたセッション生成要請メッセージ及び前記セッション生成確認メッセージを伝送し、前記セッション生成要請メッセージに応答するセッション生成応答メッセージを受信する無線送受信部と、前記セッション生成応答メッセージに応答して、前記セッションＩＤを前記無線ＵＳＢデバイスに割当てるセッションＩＤ割当部と、前記セッションＩＤ及び前記無線ＵＳＢデバイスのＩＰアドレスを利用して、前記無線ＵＳＢデバイス及びセッションを生成するセッション生成部と、を備えることを特徴とする。
【００１５】
本発明の他の実施形態によれば、無線ネットワークを通じて無線ＵＳＢホストと無線ＵＳＢデバイスとの間に生成されたセッションを管理するための無線ＵＳＢデバイスにおいて、前記無線ＵＳＢホストから周期的に伝送された前記生成されたセッションの状態を暗示するセッション状態メッセージを受信する無線送受信部と、前記無線ＵＳＢホストから未受信されたセッション状態メッセージの数に対応する連続的な未受信回数を計数するカウンターと、前記連続的な未受信回数が第１基準回数に到達した場合、前記生成されたセッションの現在状態が連結状態であれば、前記現在状態を連結状態から猶予状態に変更し、前記連続的な未受信回数が第２基準回数に到達した場合、生成された前記現在状態が猶予状態であれば、前記生成されたセッションを終了するセッション生成管理部とを備えることを特徴とする。
【００１６】
本発明の他の実施形態によれば、無線ネットワークを通じて無線ＵＳＢホストと無線ＵＳＢデバイスとの間に生成されたセッションを管理するための無線ＵＳＢホストにおいて、前記無線ＵＳＢデバイスから周期的に伝送された前記生成されたセッションの状態を暗示するセッション状態メッセージを受信する無線送受信部と、前記無線ＵＳＢデバイスから未受信されたセッション状態メッセージの数に対応する連続的な未受信回数を計数するカウンターと、前記連続的な未受信回数が第１基準回数に到達した場合、生成されたセッションの現在状態が連結状態であれば、前記現在状態を連結状態から猶予状態に変更し、前記連続的な未受信回数が第２基準回数に到達した場合、前記現在状態が猶予状態であれば、前記生成されたセッションを終了するセッション生成管理部とを備える。
【発明の効果】
【００１７】
本発明は、無線ＵＳＢホストを中心としてセッションを生成及び管理することにより、無線ＵＳＢデバイスのバッテリー消耗を減少させ、頻繁な連結断絶によるユーザの不便を解決しうる。また、セッションの生成及び管理を無線ＵＳＢホスト及び無線ＵＳＢデバイスで対称的な方式で行えるので、デバイスの種類及び特性によって多様な使用シナリオを作りうる。また、ＩＰ基盤とするので、いかなるネットワーク技術を使用しても適用が可能であり、ＰＡＮ領域だけでなく、ＷＬＡＮ領域でも連結が可能である。
【図面の簡単な説明】
【００１８】
【図１】本発明の一実施形態による無線ＵＳＢホスト及び無線ＵＳＢデバイスの構成図である。
【図２】本発明の一実施形態によるセッション状態遷移図である。
【図３】本発明の一実施形態によるデバイス主導のセッション生成過程を示すフローチャートである。
【図４】本発明の他の実施形態によるホスト主導のセッション生成過程を示すフローチャートである。
【図５】本発明の一実施形態によるセッション終了過程を示すフローチャートである。
【図６】本発明の一実施形態によるセッション維持過程を示すフローチャートである。
【図７】セッション状態メッセージに含まれたセッション状態ビットマップを示す図である。
【図８】本発明の一実施形態によるセッションの中断及び再開過程を示すフローチャートである。
【図９】本発明の一実施形態による無線ＵＳＢホストと複数の無線ＵＳＢデバイスとを示す図である。
【図１０】図９の無線ＵＳＢホストに保存されるセッション情報を示す図である。
【発明を実施するための形態】
【００１９】
以下、添付した図面を参照しつつ、本発明による無線ＵＳＢホストと無線ＵＳＢデバイスとの間にセッションを生成して管理する方法、無線ＵＳＢホスト及び無線ＵＳＢデバイスの望ましい実施形態を詳細に説明する。各図面の構成要素への参照符号の付加において、同じ構成要素は、たとえ他の図面上に表示されているとしても、可能な限り同じ符号で表記している。また、下記の説明では、具体的な回路の構成素子のような多くの特定事項が示されているので、これは、本発明のさらに全般的な理解を助けるために提供されたものに過ぎず、このような特定事項がなくても、本発明が実施されるというのは、当業者にとって自明であろう。そして、本発明の説明において、関連した公知の機能または構成についての具体的な説明が、本発明の要旨を不明にする場合には、その詳細な説明を省略する。
【００２０】
図１は、本発明の一実施形態による無線ＵＳＢホスト１００及び無線ＵＳＢデバイス１１０の構成図であって、無線ＵＳＢホスト１００は、ユーザインターフェース１０１、カウンター１０２、セッション情報保存部１０３、セッション生成管理部１０４、メッセージ生成部１０５、セッションＩＤ割当部１０６、検索部１０７、無線送受信部１０８を備え、無線ＵＳＢデバイス１１０は、ユーザインターフェース１１１、カウンター部１１２、セッション情報保存部１１３、セッション生成管理部１１４、メッセージ生成部１１５、無線送受信部１１６を備えてなる。
【００２１】
図１を参照するに、無線ＵＳＢホスト１００のユーザインターフェース１０１は、無線ネットワークを通じて連結された無線ＵＳＢデバイス１１０の属性情報をディスプレイし、セッションを生成しようとする無線ＵＳＢデバイス１１０に対する選択信号をユーザから入力される。無線ＵＳＢデバイスは、複数個でありうる。望ましくは、無線ネットワークは、移動アドホックネットワーク（Ｍｏｂｉｌｅ  Ａｄｈｏｃ  Ｎｅｔｗｏｒｋ：ＭＡＮＥＴ）であり、属性情報は、無線ＵＳＢデバイスの種類、能力、無線ＩＰアドレスである。セッションは、ＵＯＭ（Ｕｓｂ  Ｏｖｅｒ  Ｍｏｂｉｌｅ  ａｄｈｏｃ  ｎｅｔｒｗｏｒｋ）セッションを意味する。
【００２２】
カウンター１０２は、無線ＵＳＢデバイス１１０とセッションが生成された以後に生成されたセッションの管理のための要素であり、無線ＵＳＢデバイス１１０から受信されるセッション状態メッセージの未受信回数を計数する。次いで、計数された未受信回数は、無線ＵＳＢデバイス１１０に対するセッション状態の更新に使われる。
【００２３】
セッション情報保存部１０３は、無線ＵＳＢデバイスについてのセッション情報を保存する。セッション情報は、セッションＩＤ、無線ＵＳＢデバイスの無線ＩＰアドレス、セッションの状態を含んでなり、図１０は、複数の無線ＵＳＢデバイスについてのセッション情報の構造を示している。
【００２４】
セッション生成管理部１０４は、無線ＵＳＢデバイス１１０とセッションを生成して管理する。特に、無線ＵＳＢホスト１００または無線ＵＳＢデバイス１１０がセッションを生成しうる。したがって、セッション生成管理部１０４は、無線ＵＳＢデバイス１１０がセッションを生成しない場合に、セッションを生成する。
【００２５】
無線ＵＳＢホスト１００がセッションを生成すれば、メッセージ生成部１０５は、セッション生成を要請するセッション生成要請メッセージ及び無線ＵＳＢデバイス１１０に割当てられたセッションＩＤを含むセッション生成確認メッセージを生成する。セッション生成要請メッセージ及び／またはセッション生成確認メッセージは、ＵＳＢホストのＩＰアドレスを含む属性情報を含みうる。生成されたメッセージは、無線送受信部１０８を通じて無線ＵＳＢデバイス１１０に伝送される。
【００２６】
一方、デバイス主導のセッション生成方法では、メッセージ生成部１０５は、無線ＵＳＢホスト１００のＩＰアドレスを含む属性情報についてのメッセージであって、セッション生成応答メッセージを生成する。生成されたセッション生成応答メッセージは、無線送受信部１０８を通じて無線ＵＳＢデバイス１１０に伝送される。セッション生成応答メッセージは、セッション生成を許容するＴＲＵＥ値またはセッション生成を許容しないＦＡＬＳＥ値を含みうる。また、無線ＵＳＢデバイス１１０とセッションが生成された以後には、セッションが活性化中であることを表すセッション状態メッセージを生成し、無線送受信部１０８を通じて周期的に伝送する。
【００２７】
セッションＩＤ割当部１０６は、無線ＵＳＢデバイス１１０からセッション生成応答メッセージが受信されれば、無線ＵＳＢデバイス１１０にセッションＩＤを割当てる。望ましくは、セッションＩＤ割当部１０６は、同じ無線ＵＳＢデバイス１１０に既に割当てられたセッションＩＤがセッション情報保存部１０３に存在するか否かを判断し、既に存在する場合には、セッション情報保存部１０３に既に保存されたセッションＩＤを使用しうる。
【００２８】
検索部１０７は、ホスト主導のセッション生成過程で無線ネットワークに接続された無線ＵＳＢデバイスを検索し、検索された無線ＵＳＢデバイスのＩＰアドレスを含む属性情報を獲得する。獲得された属性情報は、選択のためにユーザインターフェース１０１を通じてディスプレイされる。
【００２９】
無線送受信部１０８は、無線ＵＳＢデバイス１１０に／からメッセージを伝送／受信する。
【００３０】
一方、無線ＵＳＢデバイス１１０のユーザインターフェース１１１は、無線ネットワークを通じて連結された無線ＵＳＢホスト１００の属性情報をディスプレイし、セッションを生成しようとする無線ＵＳＢホスト１００に対する選択信号をユーザから入力される。無線ＵＳＢホストは、複数個でありうる。但し、ＵＳＢの特性上無線ＵＳＢデバイス１１０は、一つの無線ＵＳＢホスト及びセッションの生成が可能である。属性情報は、無線ＵＳＢホストの種類、能力、無線ＩＰアドレスである。
【００３１】
カウンター部１１２は、無線ＵＳＢホスト１００及びセッションが生成された以後に生成されたセッションの管理のための要素であり、無線ＵＳＢホスト１００から受信されるセッション状態メッセージの未受信回数を計数する。次いで、計数された未受信回数は、無線ＵＳＢホスト１００に対するセッション状態の更新に使われる。
【００３２】
セッション情報保存部１１３は、無線ＵＳＢホスト１００についてのセッション情報を保存する。セッション情報は、無線ＵＳＢホスト１００の無線ＩＰアドレス、セッションの状態を含んでなる。無線ＵＳＢホスト１００のセッション情報保存部１０３とは異なり、セッションＩＤは含まれない。
【００３３】
セッション生成管理部１１４は、無線ＵＳＢホスト１００及びセッションを生成して管理する。特に、無線ＵＳＢホスト１００または無線ＵＳＢデバイス１１０がセッションを生成しうる。したがって、セッション生成管理部１１４は、無線ＵＳＢホスト１００がセッションを生成しない場合に、セッションを生成する。
【００３４】
メッセージ生成部１１５は、デバイス主導のセッション生成方法では、無線ＵＳＢデバイスのＩＰアドレスを含む属性情報に関するメッセージであって、セッション生成を要請するセッション生成要請メッセージを生成する。生成されたメッセージは、無線送受信部１１６を通じてブロードキャスティングされる。また、メッセージ生成部１１５は、ホスト主導のセッション生成方法では、無線ＵＳＢホスト１００のセッション生成要請メッセージに応答してセッション生成応答メッセージを生成する。生成されたセッション生成応答メッセージは、無線送受信部１０８を通じて無線ＵＳＢホスト１００に伝送される。無線ＵＳＢホスト１００とセッションが生成された以後には、セッションが活性化中であることを表すセッション状態メッセージを生成する。生成されたセッション状態メッセージは、無線送受信部１１６を通じて周期的に無線ＵＳＢホスト１００に伝送される。
【００３５】
無線送受信部１１６は、無線ＵＳＢホスト１００に／からメッセージを伝送／受信する。
【００３６】
図２は、本発明の一実施形態によるセッション状態遷移図であって、セッション状態は、空白状態２００、接続状態２１０、猶予状態２２０、終了状態２３０を含んでなる。図２を参照するに、最初空白状態２００で無線ＵＳＢホスト１００と無線ＵＳＢホスト１００との間にセッションが生成されれば、連結状態２１０に遷移する。
【００３７】
連結状態２１０で相手から周期的に伝送されるセッション状態メッセージを受信したか否かを判断することにより、セッションが活性化中であるか否かをチェックする。セッション状態メッセージの受信失敗の回数が第１基準回数より大きければ、連結状態２１０は、猶予状態２２０に変更される。他の方法では、セッション状態メッセージが所定時間の間に受信されなければ、連結状態２１０は、猶予状態２２０に変更される。しかも、連結状態２１０または猶予状態２２０中にセッションが終了されることを知らせるセッション終了メッセージが外部から受信されれば、セッションは、強制的に終了され、連結状態２１０または猶予状態２２０が終了状態２３０に変更される。セッションが終了されれば、セッション情報が削除される。
【００３８】
猶予状態２２０中にもセッション状態メッセージの未受信回数が計数され、猶予状態２２０で基準回数以上セッション状態メッセージが受信されない場合にも、終了状態２３０に遷移する。しかし、セッション終了メッセージが受信される場合に、猶予状態２２０でのみ終了状態２３０に変更されるか、または猶予状態２２０が他の方法（セッション状態メッセージの受信失敗回数に関係なく、所定の時間が経過すれば、変更される場合）によって終了状態２３０に変更されることもある。猶予状態２２０が猶予状態２２０中にセッション状態メッセージが受信されれば、再び連結状態２１０に再遷移する。
【００３９】
望ましくは、図２のセッション状態の遷移度は、無線ＵＳＢホスト１００と無線ＵＳＢホスト１００とに何れも適用される。
【００４０】
図３は、本発明の一実施形態によるデバイス主導のセッション生成過程を示すフローチャートである。
【００４１】
“〜主導のセッション生成”という用語は、セッション生成要請メッセージがいかなる装置によって伝送されたかを意味し、したがって、デバイス主導のセッション生成は、デバイスがセッション生成要請メッセージを伝送したことを、ホスト主導のセッション生成は、ホストがセッション生成要請メッセージを伝送したことを意味する。
【００４２】
図３を参照するに、ステップ３００で初期化を行う。初期化を通じてＵＳＢホストとチャンネルとを設定し、無線ＵＳＢホスト１００と無線ＵＳＢデバイス１１０とは、それぞれの無線ＩＰアドレスを設定する。
【００４３】
ステップ３０１で、無線ＵＳＢデバイス１１０は、無線ＵＳＢデバイス１１０の無線ＩＰアドレスを含む属性情報を有するセッション生成要請メッセージを生成し、生成されたセッション生成要請メッセージを無線ＵＳＢホスト１００にブロードキャスティングする。図３で、ＢＣは、Ｂｒｏａｄｃａｓｔｉｎｇの略字であり、ＵＣは、Ｕｎｉｃａｓｔｉｎｇの略字である。
【００４４】
ステップ３０２では、無線ＵＳＢデバイス１１０の属性情報をユーザ３００にディスプレイし、ステップ３０３で、ユーザは、セッションを設定しようとする無線ＵＳＢデバイス１１０を選択する。望ましくは、無線ＵＳＢデバイス１１０は、複数個であり、この場合、ユーザ３００は、セッションを生成しようとするデバイスを選択しうる。
【００４５】
以後、ステップ３０４では、無線ＵＳＢホスト１００がセッションＩＤを無線ＵＳＢデバイス１１０に割当て、割当てられたセッションＩＤ及びＵＳＢホスト１００の無線ＩＰアドレスを含むセッション生成応答メッセージを生成する。以後に生成されたセッション生成応答メッセージは、無線ＵＳＢデバイス１１０に伝送することにより、無線ＵＳＢホスト１００とのセッションを生成する。セッションは、ＵＯＭセッションを意味する。
【００４６】
ステップ３０５では、無線ＵＳＢデバイス１１０の無線ＩＰアドレスを登録し、セッション生成とは別途に、無線ＵＳＢデバイス１１０からデータ連結要請を待機する。
【００４７】
以後、ステップ３０６では、無線ＵＳＢデバイス１１０からデータ接続要請がなされば、ＵＳＢホスト１００と無線ＵＳＢデバイス１１０との間にデータ連結が設定される。
【００４８】
以後、ステップ３０７では、両装置の間にＵＳＢデータ伝送が開始される。
【００４９】
望ましくは、セッション生成以後に無線ＵＳＢホスト１００または無線ＵＳＢデバイス１１０が相手にセッションが活性化中であることを表すセッション状態メッセージを周期的に伝送するステップをさらに含む。
【００５０】
図４は、本発明の他の実施形態によるホスト主導のセッション生成過程を示すフローチャートであって、ＢＣは、Ｂｒｏａｄｃａｓｔｉｎｇの略字であり、ＵＣは、Ｕｎｉｃａｓｔｉｎｇの略字である。図４を参照するに、ステップ４００で、初期化を行う。初期化を通じてＵＳＢホストとチャンネルを設定し、無線ＵＳＢホスト１００と無線ＵＳＢデバイス１１０とは、それぞれの無線ＩＰアドレスを設定する。
【００５１】
ステップ４０１で、無線ＵＳＢホスト１００は、無線ネットワークに接続された無線ＵＳＢデバイス１１０を検索するデバイス検索要請メッセージをブロードキャスティングする。
【００５２】
ステップ４０２では、デバイス検索要請メッセージを受信した無線ＵＳＢデバイス１１０が自身の属性情報を含むデバイス検索応答メッセージを無線ＵＳＢホスト１００に伝送する。
【００５３】
ステップ４０３では、無線ＵＳＢデバイス１１０の属性情報をユーザ３００にディスプレイする。もし、複数のＵＳＢデバイスがデバイス検索応答メッセージを伝送すれば（ステップ４０２）、複数のＵＳＢデバイスのそれぞれの属性情報がユーザ３００にディスプレイされる。
【００５４】
ステップ４０４で、ユーザは、セッションを設定しようとする無線ＵＳＢデバイス１１０を選択する。望ましくは、無線ＵＳＢデバイス１１０は、複数個であり、この場合、ユーザ３００は、セッションを生成しようとするデバイスを選択しうる。
【００５５】
ステップ４０５で、無線ＵＳＢホスト１００は、無線ＵＳＢホスト１００の無線ＩＰアドレスを含む属性情報に関するメッセージであって、セッション生成を要請するセッション生成要請メッセージを生成する。生成されたセッション生成要請メッセージは、無線ＵＳＢデバイス１１０に伝送される。
【００５６】
ステップ４０６ないしステップ４０７は、付加的なステップであり、ステップ４０６で、無線ＵＳＢデバイス１１０は、無線ＵＳＢホスト１００の属性情報をディスプレイする。ステップ４０７では、ユーザ３１０の選択によって無線ＵＳＢホスト１００を選択しうる。
【００５７】
ステップ４０８で、セッション生成要請メッセージを受信した無線ＵＳＢデバイス１１０は、セッション生成要請に応答するセッション生成応答メッセージを生成し、生成されたセッション生成応答メッセージを無線ＵＳＢホスト１００に伝送する。
【００５８】
ステップ４０９で、セッション生成応答メッセージを伝送された無線ＵＳＢホスト１００は、セッションＩＤを無線ＵＳＢデバイス１１０に割当て、割当てられたセッションＩＤを含むセッション生成確認メッセージを生成する。以後に生成されたセッション生成確認メッセージを無線ＵＳＢデバイス１１０に伝送することにより、無線ＵＳＢホスト１００とのセッションを生成する。望ましくは、前記セッションは、ＵＯＭセッションを意味する。
【００５９】
望ましくは、セッション生成以後に無線ＵＳＢホスト１００または無線ＵＳＢデバイス１１０が相手にセッションが活性化中であることを表すセッション状態メッセージを周期的に伝送するステップをさらに含む。また、セッション情報は、保存するステップをさらに含む。
【００６０】
ステップ４１０では、セッション生成とは別途に、無線ＵＳＢデバイス１１０とデータ連結を設定する。
【００６１】
以後、ステップ４１１では、両装置の間にＵＳＢデータ伝送が開始される。
【００６２】
図５は、本発明の一実施形態によるセッション終了過程を示すフローチャートである。セッション終了は、（i）ユーザからセッション終了メッセージが受信される場合と、（ii）所定時間の間にセッション状態メッセージを受信できなく時間超過が検出された場合とに分けられる。図５を参照するに、ステップ５００ないしステップ５０５は、無線ＵＳＢホスト１００側でセッション終了が行われる場合である。
【００６３】
まず、ステップ５００で、ユーザ３００から生成されたセッションの終了を知らせるセッション終了メッセージが受信されるか、またはステップ５０１のように所定時間の間にセッション状態メッセージを受信できなく時間超過が検出された場合にセッションが終了される。
【００６４】
望ましくは、ステップ５０２で、無線ＵＳＢホスト１００は、セッション終了メッセージを無線ＵＳＢデバイス１１０に伝送する。
【００６５】
また、望ましくは、ステップ５０３及びステップ５０４で、無線ＵＳＢホスト１００及び無線ＵＳＢデバイス１１０は、セッション情報を削除しうる。
【００６６】
以後、ステップ５０５では、別途の手順でデータ連結を終了する。
【００６７】
一方、ステップ５１０ないしステップ５１５は、無線ＵＳＢホスト１００側でセッション終了が行われる場合である。
【００６８】
まず、ステップ５１０で、ユーザ３００から生成されたセッションの終了を知らせるセッション終了メッセージが受信されるか、またはステップ５１１のように所定時間の間にセッション状態メッセージを受信できなく時間超過が検出された場合に、セッションが終了される。
【００６９】
望ましくは、ステップ５１２で、無線ＵＳＢデバイス１１０は、セッション終了メッセージを無線ＵＳＢホスト１００に伝送する。
【００７０】
また、望ましくは、ステップ５１３及びステップ５１４で、無線ＵＳＢホスト１００及び無線ＵＳＢデバイス１１０は、セッション情報を削除しうる。
【００７１】
以後、ステップ５１５では、別途の手順でデータ連結を終了する。
【００７２】
図６は、本発明の一実施形態によるセッション維持過程を示すフローチャートであり、図７は、セッション状態メッセージに含まれたセッション状態ビットマップを示す図である。図６を参照するに、ステップ６００で、無線ＵＳＢホスト１００は、セッションが生成された以後に、周期的にセッション状態メッセージを伝送する。無線ＵＳＢホスト１００が伝送するセッション状態メッセージには、図７のようなセッション状態ビットマップを含む。
【００７３】
図７を参照するに、本発明の実施形態によるセッション状態ビットマップは、１２８ビットで構成されるが、これは、ＵＳＢの仕様を考慮した値である。したがって、無線ＵＳＢホスト１００には、最大１２８個の無線ＵＳＢデバイスが連結され、それぞれのビットは、割当てられたセッションＩＤに対応する無線ＵＳＢデバイスのセッション活性化状態を１または０の形態で示す。
【００７４】
また、図６のステップ６０１で、無線ＵＳＢホスト１００からセッション状態メッセージを受けた無線ＵＳＢデバイス１１０は、セッション情報保存部のセッション情報でホストについてのセッション状態を更新する。
【００７５】
ステップ６０２及びステップ６０３は、無線ＵＳＢデバイス１１０からセッション状態メッセージを受けた無線ＵＳＢホスト１００がセッション情報保存部のセッション情報でデバイスについてのセッション状態を更新するステップである。ＵＳＢ仕様の特性上、一つのホストには、複数のデバイスが連結されるが、一つのデバイスには、一つのホストのみ連結可能である。したがって、無線ＵＳＢデバイス１１０のセッション状態ビットマップは、図７と異なり、単に１ビットのみで構成される。
【００７６】
図８は、本発明の一実施形態によるセッションの中断及び再開過程を示すフローチャートである。図８を参照するに、ステップ８００ないしステップ８０３は、セッション状態メッセージを受信していない場合に、セッションの状態を更新するステップである。セッションが生成された以後、無線ＵＳＢデバイス１１０は、セッション状態メッセージを無線ＵＳＢホスト１００に周期的に伝送する。
【００７７】
ステップ８００で、受信されたセッション状態メッセージの未受信回数が無線ＵＳＢホスト１００で計数され、所定時間の間に未受信回数が基準回数以下であるか否かを判断する。
【００７８】
ステップ８０１で、セッション状態メッセージの未受信回数が基準回数以下である場合、無線ＵＳＢホスト１００は、無線ＵＳＢデバイス１１０に対するセッションの状態を連結状態から猶予状態に変更する。
【００７９】
同様に、セッションが生成された以後、無線ＵＳＢホスト１００は、セッション状態メッセージを無線ＵＳＢホスト１００に周期的に伝送する。
【００８０】
ステップ８０２で、（i）セッション状態メッセージが受信されないか、（ii）受信されたとしても、受信されたセッション状態メッセージに含まれたセッション活性化ビットマップのビットのうち、自身のセッションＩＤに対応するビットが０である場合と仮定しよう。
【００８１】
ステップ８０３では、ステップ８０２が連続してＮ回以上反復されたか否かを判断し、判断結果、Ｎ回以上反復された場合、無線ＵＳＢデバイス１１０は、セッション情報保存部のセッション情報でホストについてのセッション状態を連結状態から猶予状態に変更する。
【００８２】
一方、ステップ８０４ないしステップ８０７は、猶予状態中に無線ＵＳＢホスト１００または無線ＵＳＢデバイス１１０がセッション状態メッセージを受信することにより、セッションの状態が更新される場合である。
【００８３】
ステップ８０４で、現在セッションの状態が猶予状態であり、無線ＵＳＢホスト１００がセッション状態ビットマップのセッションの状態が１であるセッション状態メッセージを受信したと仮定しよう。
【００８４】
ステップ８０５で、無線ＵＳＢホスト１００は、無線ＵＳＢデバイス１１０についてのセッション状態を猶予状態から連結状態に変更する。
【００８５】
ステップ８０６で、現在セッションの状態が猶予状態であり、無線ＵＳＢデバイス１１０がセッション状態ビットマップのセッションの状態が１であるセッション状態メッセージを受信したと仮定しよう。
【００８６】
ステップ８０７で、無線ＵＳＢデバイス１１０は、無線ＵＳＢホスト１００についてのセッション状態を猶予状態から連結状態に変更する。
【００８７】
図９は、本発明の一実施形態による無線ＵＳＢホスト１００と複数の無線ＵＳＢデバイス１００ａ,１００ｂ,１００ｃとを示す図であり、図１０は、図９の無線ＵＳＢホスト１００に保存されるセッション情報を示している。図９を参照するに、複数の無線ＵＳＢデバイス１００ａ,１００ｂ,１００ｃには、それぞれセッションＩＤとして１、２、３が割当てられた。無線ＵＳＢホスト１００は、図７で示されたセッション状態ビットマップを含むセッション状態メッセージを伝送することにより、そして、ＵＳＢデバイス１００ａ,１００ｂ,１００ｃは、一ビットのホスト状態ビットを有するセッション状態メッセージを伝送することにより、セッション活性化状態を知らせうる。
【００８８】
一方、図１０は、無線ＵＳＢホスト１００に保存されるセッション情報であって、セッションＩＤ、無線ＵＳＢデバイスの無線ＩＰアドレス及びセッションの状態を示している。無線ＵＳＢデバイス１１０の場合も、これと類似しているが、一つのホストとセッションとを生成するので、セッションＩＤが不要であり、無線ＵＳＢホスト１００のＩＰアドレス及びセッションの状態のみを有する。
【００８９】
以上、本発明の望ましい実施形態について詳細に記述したが、当業者ならば、特許請求の範囲に定義された本発明の精神及び範囲を逸脱せずに本発明を多様に変形または変更して実施できるということが分かるであろう。したがって、本発明のこれからの実施形態の変更は、本発明の技術を逸脱できない。
【００９０】
以上の実施例に関し、更に、以下の項目を開示する。
【００９１】
（１）無線ＵＳＢホストと無線ＵＳＢデバイスとの間に無線ネットワークを通じて生成されたセッションを管理するためのセッション管理方法であって、
周期的に伝送されるメッセージであって、前記生成されたセッションの状態を点検するためのセッション状態メッセージを受信するステップと、
受信されていない前記セッション状態メッセージの数に対応する連続的な未受信回数が第１基準回数に到達した場合、前記生成された現在セッションの状態が連結状態であれば、前記現在セッション状態を連結状態から猶予状態に変更するステップと、
前記連続的な未受信回数が第２基準回数に到達した場合、前記生成された現在セッションの状態が猶予状態であれば、前記生成されたセッションを終了するステップと、を含むことを特徴とするセッション管理方法。
【００９２】
（２）前記セッション管理方法は、
セッションの終了を知らせるセッション終了メッセージが受信されれば、前記生成されたセッションを終了するステップをさらに含むことを特徴とする（１）に記載のセッション管理方法。
【００９３】
（３）前記セッション管理方法は、
前記セッション状態メッセージを受信した場合、前記現在セッション状態が猶予状態であれば、前記セッション状態を連結状態に再変更するステップをさらに含むことを特徴とする（１）に記載のセッション管理方法。
【００９４】
（４）前記セッション管理方法は、
前記生成されたセッションを終了する場合、前記生成されたセッションに関するセッション情報を削除するステップをさらに含むことを特徴とする（１）に記載のセッション管理方法。
【００９５】
（５）前記セッション情報は、
前記無線ＵＳＢデバイスのセッションＩＤ、ＩＰアドレス、前記セッションの現在状態を含むことを特徴とする（４）に記載のセッション管理方法。
【００９６】
（６）前記セッション管理方法は、
前記生成されたセッションを終了する場合、前記セッションの終了を知らせるセッション終了メッセージを伝送するステップをさらに含むことを特徴とする（１）に記載のセッション管理方法。
【００９７】
（７）前記無線ネットワークは、
移動アドホックネットワークであることを特徴とする（１）に記載のセッション管理方法。
【００９８】
（８）前記ＵＳＢ装置は、前記セッション状態メッセージを受信し、前記現在状態を変更し、前記生成されたセッションを終了させることを特徴とする（１）に記載のセッション管理方法。
【００９９】
（９）前記ＵＳＢホストは、前記セッション状態メッセージを受信し、前記現在状態を変更し、前記生成されたセッションを終了させることを特徴とする（１）に記載のセッション管理方法。
【０１００】
（１０）前記第１基準回数と前記第２基準回数とは、同じ値であることを特徴とする（１）に記載のセッション管理方法。
【０１０１】
（１１）（１）ないし（１０）のうち何れか一項に記載の方法を実行するためのプログラムが記録されたコンピュータで読み取り可能な記録媒体。
【０１０２】
（１２）無線ＵＳＢデバイスと無線ネットワークとを通じて生成されたセッションを管理するための無線ＵＳＢホストであって、
前記生成されたセッションの状態を点検するためのセッション状態メッセージを生成するメッセージ生成部と、
前記生成されたセッション状態メッセージを周期的に前記無線ＵＳＢデバイスに伝送し、前記無線ＵＳＢデバイスからのセッション状態メッセージを受信する無線送受信部と、
前記無線ＵＳＢデバイスから受信されていない前記セッション状態メッセージの数に対応する連続的な未受信回数を計数するカウンターと、
前記連続的な未受信回数が第１基準回数に到達した場合、前記生成されたセッションの現在状態が連結状態であれば、前記生成されたセッションの現在状態を連結状態から猶予状態に変更し、前記連続的な未受信回数が第２基準回数に到達した場合、前記現在状態が猶予状態であれば、前記生成されたセッションを終了するセッション生成管理部と、を備えることを特徴とする無線ＵＳＢホスト。
【０１０３】
（１３）前記生成されたセッションの状態を含むセッション情報を保存するセッション情報保存部をさらに備えることを特徴とする（１２）に記載の無線ＵＳＢホスト。
【０１０４】
（１４）前記セッション生成管理部は、
セッションの終了を知らせるセッション終了メッセージが受信されれば、前記生成されたセッションを終了することを特徴とする（１２）に記載の無線ＵＳＢホスト。
【０１０５】
（１５）前記セッション生成管理部は、
前記セッション状態メッセージを受信した場合、前記生成されたセッションの現在状態が猶予状態であれば、前記生成されたセッションの現在状態を連結状態に再変更することを特徴とする（１２）に記載の無線ＵＳＢホスト。
【０１０６】
（１６）前記セッション生成管理部は、
前記生成されたセッションを終了する場合、前記終了されたセッションに関するセッション情報を削除することを特徴とする（１３）に記載の無線ＵＳＢホスト。
【０１０７】
（１７）前記セッション情報は、
前記無線ＵＳＢデバイスのセッションＩＤ、ＩＰアドレス、前記生成されたセッションの現在状態を含むことを特徴とする（１３）に記載の無線ＵＳＢホスト。
【０１０８】
（１８）前記セッション生成管理部は、
前記生成されたセッションを終了する場合、前記セッションの終了を知らせるセッション終了メッセージを伝送することを特徴とする（１２）に記載の無線ＵＳＢホスト。
【０１０９】
（１９）前記無線ネットワークは、
移動アドホックネットワークであることを特徴とする（１２）に記載の無線ＵＳＢホスト。
【０１１０】
（２０）前記第１基準回数と前記第２基準回数とは、同じ値であることを特徴とする（１２）に記載の無線ＵＳＢホスト。
【０１１１】
（２１）それぞれ固有の無線ＩＰアドレスを有する無線ＵＳＢホストと無線ＵＳＢデバイスとの間の無線ネットワークを通じたセッション生成方法であって、
無線ＵＳＢデバイスのＩＰアドレスを含む属性情報を獲得するステップと、
前記セッションの生成を要請するセッション生成要請メッセージを前記無線ＵＳＢホストから前記無線ＵＳＢデバイスに伝送するステップと、
前記セッション生成要請メッセージに応答して、セッション生成応答メッセージを前記無線ＵＳＢデバイスから受信するステップと、
前記セッション生成応答メッセージに応答して、セッションＩＤを前記無線ＵＳＢデバイスに割当てるステップと、
前記無線ＵＳＢホストが前記割当てられたセッションＩＤを含むセッション生成確認メッセージを前記無線ＵＳＢホストから前記無線ＵＳＢデバイスに伝送するステップと、
前記セッションＩＤ、前記無線ＵＳＢデバイスのＩＰアドレス及び前記無線ＵＳＢホストのＩＰアドレスを利用して、前記無線ＵＳＢホスト及び前記無線ＵＳＢデバイスの間にセッションを生成するステップと、を含むことを特徴とするホスト主導のセッション生成方法。
【０１１２】
（２２）前記セッション生成方法は、
前記無線ＵＳＢデバイスの属性情報をディスプレイするステップをさらに含むことを特徴とする（２１）に記載のホスト主導のセッション生成方法。
【０１１３】
（２３）前記セッション生成方法は、
前記セッションが生成された以後、前記セッションが活性化中であることを表すセッション状態メッセージを周期的に伝送するステップをさらに含むことを特徴とする（２１）に記載のホスト主導のセッション生成方法。
【０１１４】
（２４）前記無線ネットワークは、
移動アドホックネットワークであることを特徴とする（２１）に記載のホスト主導のセッション生成方法。
【０１１５】
（２５）前記セッション生成方法は、
前記生成されたセッションについてのセッション情報を保存するステップをさらに含むことを特徴とする（２１）に記載のホスト主導のセッション生成方法。
【０１１６】
（２６）前記セッション情報は、
前記無線ＵＳＢデバイスのセッションＩＤ、ＩＰアドレス及び前記生成されたセッションの状態のうち少なくとも一つを含むことを特徴とする（２５）に記載のホスト主導のセッション生成方法。
【０１１７】
（２７）前記セッション生成要請メッセージは、前記無線ＵＳＢホストのＩＰアドレスを含むことを特徴とする（２１）に記載のホスト主導のセッション生成方法。
【０１１８】
（２８）前記属性情報を獲得するステップは、
デバイス検索要請メッセージを前記無線ネットワーク上にブロードキャスティングするステップと、
デバイス検索応答メッセージを前記無線ＵＳＢデバイスから受信するステップと、を含むことを特徴とする（２１）に記載のホスト主導のセッション生成方法。
【０１１９】
（２９）検索された複数の無線ＵＳＢデバイスからセッションを生成するためのＵＳＢデバイスを選択するユーザ選択を受信するステップをさらに含むことを特徴とする（２１）に記載のホスト主導のセッション生成方法。
【０１２０】
（３０）（２１）ないし（２９）のうち何れか一項に記載の方法を実行するためのプログラムが記録されたコンピュータで読み取り可能な記録媒体。
【０１２１】
（３１）固有のＩＰアドレスを有する無線ＵＳＢホストと無線ネットワークとを通じてセッションを生成するための無線ＵＳＢデバイスであって、
前記無線ＵＳＢホストからのセッション生成要請メッセージに応答するセッション生成応答メッセージを生成するメッセージ生成部と、
前記無線ネットワークを通じて前記セッション生成要請メッセージ及び前記無線ＵＳＢデバイスに割当てられたセッションＩＤを含むセッション生成確認メッセージを受信する一方、前記生成されたセッション生成応答メッセージ及び前記無線ＵＳＢホストの検索要請に応答して前記無線ＵＳＢデバイスのＩＰアドレスを含む属性情報を伝送する無線送受信部と、
前記受信されたセッションＩＤ及び前記無線ＵＳＢホストのＩＰアドレスを利用して、前記無線ＵＳＢホスト及びセッションを生成するセッション生成部と、を備えることを特徴とする無線ＵＳＢデバイス。
【０１２２】
（３２）前記メッセージ生成部は、
前記セッションが生成された以後、前記セッションが活性化中であることを表すセッション状態メッセージを生成し、
前記無線送受信部は、前記生成されたセッション状態メッセージを周期的に伝送することを特徴とする（３１）に記載の無線ＵＳＢデバイス。
【０１２３】
（３３）前記無線ネットワークは、
移動アドホックネットワークであることを特徴とする（３１）に記載の無線ＵＳＢデバイス。
【０１２４】
（３４）固有のＩＰアドレスを有する無線ＵＳＢデバイスと無線ネットワークとを通じてセッションを生成するための無線ＵＳＢホストであって、
前記無線ネットワークに接続された無線ＵＳＢデバイスを検索し、前記検索された無線ＵＳＢデバイスのＩＰアドレスを含む属性情報を獲得する検索部と、
前記無線ＵＳＢホストのＩＰアドレスを含む属性情報に関するメッセージであって、セッション生成を要請するセッション生成要請メッセージ及び前記無線ＵＳＢデバイスに割当てられたセッションＩＤを含むセッション生成確認メッセージを生成するメッセージ生成部と、
前記無線ネットワークを通じて前記生成されたセッション生成要請メッセージ及び前記セッション生成確認メッセージを伝送し、前記セッション生成要請メッセージに応答するセッション生成応答メッセージを受信する無線送受信部と、
前記セッション生成応答メッセージに応答して、前記セッションＩＤを前記無線ＵＳＢデバイスに割当てるセッションＩＤ割当部と、
前記セッションＩＤ及び前記無線ＵＳＢデバイスのＩＰアドレスを利用して、前記無線ＵＳＢデバイス及びセッションを生成するセッション生成部と、を備えることを特徴とする無線ＵＳＢホスト。
【０１２５】
（３５）前記無線ＵＳＢホストは、
前記無線ＵＳＢデバイスの属性情報をディスプレイするためのユーザインターフェース部をさらに備えることを特徴とする（３４）に記載の無線ＵＳＢホスト。
【０１２６】
（３６）前記メッセージ生成部は、
前記セッションが生成された以後、前記セッションが活性化中であることを表すセッション状態メッセージを周期的に伝送することを特徴とする（３４）に記載の無線ＵＳＢホスト。
【０１２７】
（３７）前記無線ＵＳＢホストは、
前記生成されたセッションに対するセッション情報を保存するセッション情報保存部をさらに含むことを特徴とする（３４）に記載の無線ＵＳＢホスト。
【０１２８】
（３８）前記セッション情報は、
前記無線ＵＳＢデバイスのセッションＩＤ、ＩＰアドレス及び前記生成されたセッションの状態のうち少なくとも一つを含むことを特徴とする（３４）に記載の無線ＵＳＢホスト。
【０１２９】
（３９）前記無線ネットワークは、
移動アドホックネットワークであることを特徴とする（３４）に記載の無線ＵＳＢホスト。
【０１３０】
（４０）前記メッセージ生成部は、デバイス検索要請メッセージを生成し、
前記無線送受信部は、前記デバイス検索要請メッセージをブロードキャスティングし、前記無線ＵＳＢデバイスからデバイス検索応答メッセージを受信することを特徴とする（３４）に記載の無線ＵＳＢホスト。
【０１３１】
（４１）前記ユーザインターフェースは、
検索された複数の無線ＵＳＢデバイスのうち、セッションを生成するための無線ＵＳＢデバイスを選択するユーザ選択を受信することを特徴とする（３５）に記載の無線ＵＳＢホスト
（４２）無線ネットワークを通じて無線ＵＳＢホストと無線ＵＳＢデバイスとの間に生成されたセッションを管理するための無線ＵＳＢデバイスにおいて、
前記無線ＵＳＢホストから周期的に伝送された前記生成されたセッションの状態を暗示するセッション状態メッセージを受信する無線送受信部と、
前記無線ＵＳＢホストから未受信されたセッション状態メッセージの数に対応する連続的な未受信回数を計数するカウンターと、
前記連続的な未受信回数が第１基準回数に到達した場合、前記生成されたセッションの現在状態が連結状態であれば、前記現在状態を連結状態から猶予状態に変更し、前記連続的な未受信回数が第２基準回数に到達した場合、生成された前記現在状態が猶予状態であれば、前記生成されたセッションを終了するセッション生成管理部と、を備えることを特徴とする無線ＵＳＢデバイス。
【０１３２】
（４３）無線ネットワークを通じて無線ＵＳＢホストと無線ＵＳＢデバイスとの間に生成されたセッションを管理するための無線ＵＳＢホストにおいて、
前記無線ＵＳＢデバイスから周期的に伝送された前記生成されたセッションの状態を暗示するセッション状態メッセージを受信する無線送受信部と、
前記無線ＵＳＢデバイスから未受信されたセッション状態メッセージの数に対応する連続的な未受信回数を計数するカウンターと、
前記連続的な未受信回数が第１基準回数に到達した場合、生成されたセッションの現在状態が連結状態であれば、前記現在状態を連結状態から猶予状態に変更し、前記連続的な未受信回数が第２基準回数に到達した場合、前記現在状態が猶予状態であれば、前記生成されたセッションを終了するセッション生成管理部と、を備えることを特徴とする無線ＵＳＢデバイス。
【産業上の利用可能性】
【０１３３】
本発明は、無線ＵＳＢ関連の技術分野に適用可能である。
【符号の説明】
【０１３４】
１００  無線ＵＳＢホスト
１０１,１１１  ユーザインターフェース
１０２,１１２  カウンター部
１０３,１１３  セッション情報保存部
１０４,１１４  セッション生成管理部
１０５,１１５  メッセージ生成部
１０６  セッションＩＤ割当部
１０７  検索部
１０８  無線送受信部
１１６  無線送受信部
【図１】
2011238238.tif 000003
【図２】
2011238238.tif 000004
【図３】
2011238238.tif 000005
【図４】
2011238238.tif 000006
【図５】
2011238238.tif 000007
【図６】
2011238238.tif 000008
【図７】
2011238238.tif 000009
【図８】
2011238238.tif 000010
【図９】
2011238238.tif 000011
【図１０】
2011238238.tif 000012